(57)【要約】  本発明の男性用機能性パンツは、上段に腰バンドが備えられ、下段に一対の脚貫通ホールが形成されるパンツ本体と、前記パンツ本体に形成されて陰茎が収容される陰茎収容部と、前記陰茎収容部の下側に形成されて陰嚢が収容される陰嚢収容部とを含み、前記陰茎収容部は前記パンツ本体の前方方向に突出するように形成され、前記陰嚢収容部は前記パンツ本体の下側方向に突出するように形成されて身体の前方に向かう陰茎は陰茎収容部に収容され、身体の下方に向かう陰嚢は陰嚢収容部に収容されることによって、陰嚢と陰茎を身体に合わせて無理なく収められる。
2016512582.tif 000002
【特許請求の範囲】
【請求項１】
上段に腰バンドが備えられ、下段に一対の脚貫通ホールが形成されるパンツ本体、
前記パンツ本体に形成されて陰茎が収容される陰茎収容部、および
前記陰茎収容部の下側に形成されて陰嚢が収容される陰嚢収容部を含み、
前記陰茎収容部は前記パンツ本体の前方方向に突出するように形成され、
前記陰嚢収容部は前記パンツ本体の下側方向に突出するように形成されることを特徴とする男性用機能性パンツ。
【請求項２】
前記陰茎収容部はその上端は前記パンツ本体の前方に位置し、その下端は前記上端に比べて前記パンツ本体の後方に近く位置して前記陰茎収容部の上端と下端との間は距離Ｈ１を有することを特徴とする請求項１に記載の男性用機能性パンツ。
【請求項３】
前記陰嚢収容部は一端が前記パンツ本体の前方に近く位置し、他端は前記パンツ本体の後方に近く位置して前記陰嚢収容部の一端と他端との間は距離Ｈ２を有することを特徴とする請求項１に記載の男性用機能性パンツ。
【請求項４】
前記陰茎収容部の一端の地点Ｓと他端の地点Ｐとを連結する第１直線Ｔと、地点Ｐを通過し垂直に延長された基準線Ａの間は第１傾斜角θ１が形成され、前記第１傾斜角θ１は１°〜６０°で形成されることを特徴とする請求項２に記載の男性用機能性パンツ。
【請求項５】
前記陰嚢収容部の一端の地点Ｐと他端の地点Ｑとを連結する第２直線（Ｏ）と、地点Ｐを通過し垂直に延長された基準線Ａの間は第２傾斜角θ２が形成され、ここで、第２傾斜角θ２は１９５°〜２８５°で形成されることを特徴とする請求項３に記載の男性用機能性パンツ。
【請求項６】
前記陰嚢収容部は前記陰茎収容部より前記パンツ本体の後方に近く位置することを特徴とする請求項１に記載の男性用機能性パンツ。
【請求項７】
前記陰嚢収容部と陰茎収容部との間には区画部が形成され、前記区画部は陰嚢収容部および陰茎収容部に比べて弾性変形率が小さく、前記陰嚢収容部は前記陰茎収容部と弾性変形率が同じかまたは大きいことを特徴とする請求項１に記載の男性用機能性パンツ。
【請求項８】
前記陰茎収容部と陰嚢収容部は前記パンツ本体に一体に形成されたり、前記パンツ本体と異なる材質で縫製または接合されることを特徴とする請求項１に記載の男性用機能性パンツ。
【請求項９】
上段に腰バンドが備えられ、下段に一対の脚貫通ホールが形成されるパンツ本体、
前記パンツ本体に形成されて陰茎が収容される陰茎収容部、および
前記陰茎収容部の下側に形成されて陰嚢が収容される陰嚢収容部を含み、
前記陰茎収容部は前記パンツ本体の前方に突出するように形成され、前記陰嚢収容部は前記パンツ本体の下方に突出するように形成され、
前記パンツ本体の下面には前記脚貫通ホールを形成する下部シートが接合され、前記下部シートに陰嚢収容部が形成されることを特徴とする男性用機能性パンツ。
【請求項１０】
前記陰茎収容部は前記パンツ本体と別途で製造した後に前記パンツ本体の前方に接合され、前記パンツ本体に接合される接合部と、前記接合部に凸に突出するように形成される凸部とを含むことを特徴とする請求項９に記載の男性用機能性パンツ。
【請求項１１】
前記陰茎収容部は前記パンツ本体と一体に製造され、前記パンツ本体に比べて緩く織ったり、薄い形状に織ったり、しわになった形態に織って凸な形態に形成することを特徴とする請求項９に記載の男性用機能性パンツ。
【請求項１２】
前記陰嚢収容部は下部シートと一体に製造され、前記下部シートに比べて緩く織ったり、薄い形状に織ったり、しわになった形態に織って凸な形態に形成することを特徴とする請求項９に記載の男性用機能性パンツ。
【請求項１３】
前記下部シートは一面がパンツ本体の前面に接合され、他面はパンツ本体の背面に接合され、その両側面はパンツ本体の下面に接合され、
前記陰嚢収容部は前記下部シートの一面に接触するように形成されたり下部シートの一面に近い位置に形成されることを特徴とする請求項９に記載の男性用機能性パンツ。
【発明の詳細な説明】
【技術分野】
【０００１】
本発明は、陰茎と陰嚢を互いに分離すると共に陰茎および陰嚢が股に接触するのを防止することができて衛生性を向上させ、陰茎を常に上向き状態に維持できて着用感が良好な男性用機能性パンツに関する。
【背景技術】
【０００２】
最近、着こなしなどが強調される傾向にあって男性用パンツの場合も着用時に人体に密着させる傾向がある。このような男性用パンツを着用する場合、陰茎および陰嚢がパンツの弾力によって相互密着したり股に接触した状態になって陰嚢の温度を上昇させることになり睾丸および副睾丸の精子の生成および培養能力を低下させるだけでなく、湿気によって嚢湿症および湿疹などを誘発させるという問題点がある。このような問題点を考慮して陰茎および陰嚢がパンツから圧迫されずに自然な状態で分離収容されるようにした男性用機能性パンツが考案されている。
【０００３】
従来の男性用機能性パンツは韓国実用新案公開２０−２０１３−０００５５６５号公報（２０１３年０９月２５日）に開示されたように、上段枠にバンドが形成され両側下部に脚貫通孔が形成され、上部中央に位置した裁縫線部分の前面と裏面に突出部が形成されている陰茎ポケットと、下部に位置して外側に突出するように形成される陰嚢ポケットとからなり、陰嚢ポケットは中央には裁縫線が縦方向に返し縫いされ両側には裁縫線が縦方向から横方向に連続して返し縫いされるようになる。
【０００４】
このような従来の男性用機能性パンツは陰茎ポケットおよび陰嚢ポケットがパンツの前方に突出するように形成される。しかし、身体を察してみると、陰茎は身体の前方に位置し、陰嚢は股の間に下方に向かうように位置する。したがって、従来の男性用機能性パンツは陰嚢ポケットがパンツの前方に向かって凸に突出するので陰嚢は陰嚢ポケットから安着されずに外れる問題があった。
【発明の概要】
【発明が解決しようとする課題】
【０００５】
したがって、本発明の目的は、パンツ本体の前面に陰茎が収容される陰茎収容部と陰嚢が収容される陰嚢収容部とを備えて、陰茎と陰嚢が互いに接触したり陰茎と陰嚢が股に接触するのを防止できる男性用機能性パンツを提供することにある。
【０００６】
本発明の他の目的は、パンツ本体に、パンツ本体に比べて弾性変形率が大きい陰茎収容部および陰嚢収容部を具備し、陰嚢収容部と陰茎収容部との間は弾性変形率が小さい区画部に区画することによって、陰嚢と陰茎との間を区画し、陰茎が支えられた状態を維持できるようにする男性用機能性パンツを提供することにある。
【０００７】
また、本発明の他の目的は、陰茎収容部はパンツ本体の前方に向かって凸に突出するように形成し、陰嚢収容部はパンツ本体の下側方向に向かうように凸に突出するように形成して、身体の前方に向かう陰茎は陰茎収容部が収容し、身体の下方に向かう陰嚢は陰嚢収容部が収容することによって、陰嚢と陰茎を身体に合わせて無理なく収められる男性用機能性パンツを提供することにある。
【０００８】
また、本発明の他の目的は、パンツ本体に陰茎収容部を一体に形成し、パンツ本体の下面に接合される下部シートに陰嚢収容部を一体に形成して陰茎収容部と陰嚢収容部をそれぞれ別途で製造するので、陰茎収容部と陰嚢収容部とを区画するための別途の区画部が不要になり製造工程を単純化できる男性用機能性パンツを提供することにある。
【課題を解決するための手段】
【０００９】
前記目的を達成するために、本発明の男性用機能性パンツは、上段に腰バンドが備えられ、下段に一対の脚貫通ホールが形成されるパンツ本体と、前記パンツ本体に形成されて陰茎が収容される陰茎収容部と、前記陰茎収容部の下側に形成されて陰嚢が収容される陰嚢収容部とを含み、前記陰茎収容部は前記パンツ本体の前方方向に突出するように形成され、前記陰嚢収容部は前記パンツ本体の下側方向に突出するように形成されることを特徴とする。
【００１０】
前記陰茎収容部はその上端は前記パンツ本体の前方に位置し、その下端は前記上端に比べて前記パンツ本体の後方に近く位置して前記陰茎収容部の上端と下端との間は距離Ｈ１を有することを特徴とする。
【００１１】
前記陰嚢収容部はその一端が前記パンツ本体の前方に近く位置し、その他端は前記パンツ本体の後方に近く位置して前記陰嚢収容部の一端と他端との間は距離Ｈ２を有することを特徴とする。
【００１２】
前記陰茎収容部の一端の地点Ｓと他端の地点Ｐとを連結する第１直線Ｔと、地点Ｐを通過し垂直に延長された基準線Ａの間は第１傾斜角θ１が形成され、前記第１傾斜角θ１は１°〜６０°で形成されることを特徴とする。
【００１３】
前記陰嚢収容部の一端の地点Ｐと他端の地点Ｑとを連結する第２直線（Ｏ）と地点Ｐを通過し垂直に延長された基準線Ａの間は第２傾斜角θ２が形成され、ここで、第２傾斜角θ２は１９５°〜２８５°で形成されることを特徴とする。
【００１４】
前記陰嚢収容部は、前記陰茎収容部より前記パンツ本体の後方に近く位置することを特徴とする。
【００１５】
前記陰嚢収容部と陰茎収容部との間には区画部が形成され、前記区画部は陰嚢収容部および陰茎収容部に比べて弾性変形率が小さく、前記陰嚢収容部は前記陰茎収容部と弾性変形率が同じかまたは大きいことを特徴とする。
【００１６】
前記陰茎収容部および陰嚢収容部は前記パンツ本体に一体に形成したり、前記パンツ本体と異なる材質で縫製または接合されることを特徴とする。
【００１７】
本発明の男性用機能性パンツは、上段に腰バンドが備えられ、下段に一対の脚貫通ホールが形成されるパンツ本体と、前記パンツ本体に形成されて陰茎が収容される陰茎収容部と、前記陰茎収容部の下側に形成されて陰嚢が収容される陰嚢収容部とを含み、前記陰茎収容部は前記パンツ本体の前方方向に突出するように形成され、前記陰嚢収容部は前記パンツ本体の下側方向に突出するように形成され、前記パンツ本体の下面には前記脚貫通ホールを形成する下部シートが接合され、前記下部シートには陰嚢収容部が形成されることを特徴とする。
【００１８】
前記陰茎収容部は前記パンツ本体と別途で製造した後に前記パンツ本体の前方に接合され、前記パンツ本体に接合される接合部と、前記接合部に凸に突出するように形成される凸部とを含むことを特徴とする。
【００１９】
前記陰茎収容部は前記パンツ本体と一体に製造され、前記パンツ本体に比べて緩く織ったり、薄い形状に織ったり、またはしわになった形状に織って凸形状に形成することを特徴とする。
【００２０】
前記陰嚢収容部は下部シートと一体に製造され、前記下部シートに比べて緩く織ったり、薄い形状に織ったり、またはしわになった形状に織って凸形状に形成することを特徴とする。
【００２１】
前記下部シートは一面がパンツ本体の前面に接合され、他面はパンツ本体の背面に接合され、その両側面はパンツ本体の下面に接合され、前記陰嚢収容部は前記下部シートの一面に接触するように形成されたり下部シートの一面に近い位置に形成されることを特徴とする。
【発明の効果】
【００２２】
前記のように、本発明の男性用機能性パンツは、パンツ本体の前面に陰茎が収容される陰茎収容部と陰嚢が収容される陰嚢収容部とを備えて、陰茎と陰嚢が互いに接触したり陰茎と陰嚢が股に接触することを防止することができる。
【００２３】
また、本発明の男性用機能性パンツは、パンツ本体に、パンツ本体に比べて弾性変形率が大きい陰茎収容部および陰嚢収容部を具備し、陰嚢収容部と陰茎収容部との間は弾性変形率が小さい区画部に区画することによって、陰嚢と陰茎との間を区画し、陰茎が支えられた状態を維持できるようにする。
【００２４】
また、本発明の男性用機能性パンツは、陰茎収容部はパンツ本体の前方に向かって凸に突出するように形成し、陰嚢収容部はパンツ本体の下側方向に向かうように凸に突出するように形成して、身体の前方に向かう陰茎は陰茎収容部に収容され、身体の下方に向かう陰嚢は陰嚢収容部に収容されることによって、陰嚢と陰茎を身体に合わせて無理なく収められる。
【００２５】
また、本発明の男性用機能性パンツは、パンツ本体に陰茎収容部を一体に形成し、パンツ本体の下面に接合される下部シートに陰嚢収容部を一体に形成して陰茎収容部と陰嚢収容部をそれぞれ別途で製造するので、陰茎収容部と陰嚢収容部とを区画するための別途の区画部が不要になり製造工程を単純化することができる。
【図面の簡単な説明】
【００２６】
【図１】本発明の一実施例による男性用機能性パンツの前面図である。
【図２】本発明の一実施例による男性用機能性パンツの側面図である。
【図３】本発明の一実施例による収容部の断面図である。
【図４】本発明の他の実施例による男性用機能性パンツの斜視図である。
【図５】本発明の他の実施例による男性用機能性パンツの断面図である。
【図６】本発明の他の実施例による男性用機能性パンツの正面図である。
【図７】本発明の他の実施例による下部シートの斜視図である。
【発明を実施するための形態】
【００２７】
以下、添付図面を参照して本発明による実施例を詳しく説明する。また、以下の図面において、構成要素の大きさや形状などは説明の便宜および明確性のために誇張されたものである。また、本発明の構成および作用を考慮して特に定義された用語は使用者、運用者の意図または慣例により異なることができる。このような用語に対する定義は本明細書全般にわたった内容に基づいて下さなければならない。
【００２８】
図１は本発明の一実施例による男性用機能性パンツの前面図であり、図２は本発明の一実施例による男性用機能性パンツの側面図である。
【００２９】
図１および図２を参照すれば、本発明の一実施例による男性用機能性パンツは、パンツ本体１０と、パンツ本体１０に形成されて陰茎と陰嚢が収容される収容部２０とを含む。
【００３０】
パンツ本体１０はその上側に腰を囲む腰バンド１２が取り付けられ、その下側は二つに分離されて脚が通過する脚通過ホール１４が形成される。
【００３１】
このようなパンツ本体１０は四角ボックス形状のパンツが適用され、三角形状のパンツが適用されることもある。つまり、パンツがいかなる形態でもすべての男性用パンツに適用可能である。
【００３２】
収容部２０は、パンツ本体１０の前面中央に形成されて陰茎１００が収容される陰茎収容部３０と、陰茎収容部３０の下側に配置され陰嚢１１０が収容される陰嚢収容部４０と、陰茎収容部３０と陰嚢収監囚４０とを区画する区画部５０とを含む。
【００３３】
陰茎収容部３０と陰嚢収容部４０はパンツ本体１０に比べて弾性変形率が大きく形成され、凸に突出した形態を有する。陰嚢収容部４０は陰茎収容部３０に比べて弾性変形率がより大きく形成されることができる。そして、区画部５０は陰茎収容部３０および陰嚢収容部４０に比べて弾性変形率が小さく形成されて陰茎収容部３０と陰嚢収容部４０との間を確実に区画できるようにする。
【００３４】
このような陰茎収容部３０および陰嚢収容部４０はパンツ本体１０と同じ材質で織る方式を異にしてパンツ本体より弾性変形率を大きく形成することができる。
【００３５】
また、陰茎収容部３０および陰嚢収容部４０はパンツ本体１０より弾性変形率が大きい材質で形成され、パンツ本体１０に接合されたり縫製によって付着することができる。
【００３６】
陰茎収容部３０および陰嚢収容部４０は陰茎と陰嚢を無理なく収められるように凸に突出した形態を持たなければならないが、このために陰茎収容部３０は前記パンツ本体１０の前方方向に凸に突出するように形成され、陰嚢収容部４０は前記パンツ本体１０の下側方向に凸に突出するように形成される。
【００３７】
つまり、男性の身体構造上、陰茎は身体の前面に位置し、陰嚢は身体の股の間に下側方向に向かうように位置する。
【００３８】
したがって、本発明では陰茎１００と陰嚢１１０を無理なく収容するために、陰茎収容部３０はパンツ本体１０の前方に向かって突出した形状に形成し、陰嚢収容部４０はパンツ本体１０の下方に向かって突出する形状に形成した。
【００３９】
パンツ本体１０を側面から見たとき、収容部２０が形成される部分をパンツ本体の前方と称し、その反対側をパンツ本体の後方と称する。
【００４０】
陰茎収容部３０は図３に示されているように、その上端がパンツ本体１０の前方の腰バンド１２に連結され、下端は区画部５０に連結される。そして、上端に比べて下端がパンツ本体１０の後方に近く位置するように上端と下端との間は距離Ｈ１を有する。そして、区画部５０は陰茎収容部３０の上端に比べてパンツ本体１０の後方に近く位置する。
【００４１】
このように、陰茎収容部３０はパンツ本体１０の前方に位置する上端に比べて下端がパンツ本体１０の後方に近く位置するので、上端から下端に行くほど傾いた形態に形成される。
【００４２】
したがって、陰茎収容部３０の上端地点Ｓと下端地点Ｐとを連結する第２直線Ｔと区画部５０の地点Ｐを通過しパンツ本体１０の垂直に延長された線を基準線Ａとしたとき、第１直線Ｔと基準線Ａの間は一定の傾斜の第１傾斜角θ１を有する。
【００４３】
ここで、第１傾斜角θ１は１°〜６０°で形成される。好ましくは、第１傾斜角θ１は３０°〜４５°で形成される。
【００４４】
陰嚢収容部４０は一端は区画部５０に連結され、他端はパンツ本体１０の下部中央に連結される。したがって、一端に比べて他端がパンツ本体１０の後方に近く位置するように上端と下端との間は距離Ｈ２を有する。
【００４５】
このような陰嚢収容部４０はパンツ本体１０の前方と後方との間に位置するので、一端の地点Ｐから他端の地点Ｑは一定の傾斜角を有する。
【００４６】
したがって、地点Ｐを通過しパンツ本体１０の垂直に延長された線を基準線Ａとしたとき、基準線Ａとパンツ本体１０の前方に位置する陰嚢収容部４０の一端の地点Ｐから他端の地点Ｑの間を連結する第２直線（Ｏ）の間は第２傾斜角θ２を有する。
【００４７】
ここで、第２傾斜角θ２は１９５°〜２８５°で形成することができる。
【００４８】
このように、本発明の陰茎収容部３０は上端から下端に行くほどパンツ本体の後方に向かうように傾いて形成され、大体的にパンツ本体の前方方向に突出した形態を有するので、身体の前方に位置する陰茎１００が支えられた状態で無理なく収められる。
【００４９】
そして、本発明の陰嚢収容部３０は上端から下端に行くほどパンツ本体の後方に向かうように傾いて形成され、大体的にパンツ本体の下側方向に突出した形態を有するので、身体の下側方向に向かうように位置する陰嚢１１０が無理なく収められる。
【００５０】
図４は本発明の他の実施例による男性用機能性パンツの斜視図であり、図５は本発明の他の実施例による男性用機能性パンツの断面図であり、図６は本発明の他の実施例による男性用機能性パンツの正面図である。
【００５１】
図４乃至図６を参照すれば、本発明の他の実施例による機能性パンツは、パンツ本体１０と、パンツ本体１０の前方に形成されて陰茎１００が収容される陰茎収容部６０と、パンツ本体１０の下面に接合される下部シート７２と、下部シート７２に形成されて陰嚢１１０が収容される陰嚢収容部７０とを含む。
【００５２】
パンツ本体１０は上側に周り方向に腰を囲むバンド１２が取り付けられ、その下面には一対の脚が通過する一対の脚通過ホール１４を形成するための下部シート７２が接合される。ここで、下部シート７２はパンツ本体１０に縫製または接着などの方法によって接合されることができる。
【００５３】
このようなパンツ本体１０は、四角ボックス形状のパンツが適用され、三角形状のパンツが適用されることもある。つまり、パンツがいかなる形態でもすべての男性用パンツに適用可能である。
【００５４】
陰茎収容部６０は、パンツ本体１０の前方に向かって凸に突出するように形成されて陰茎１００が支えられた状態で収容されるようにする。
【００５５】
このような陰茎収容部６０はパンツ本体１０と別途で製造した後、パンツ本体１０の前方に接合して形成することができ、パンツ本体１０の製造の際にパンツ本体１０と一体に製造することもできる。
【００５６】
陰茎収容部６０はパンツ本体１０と別途で製造される場合、パンツ本体１０の前面に接合される接合部６２と、接合部６２の中央に前方に凸な形態に突出して陰茎が収容される凸部６４とを含む。
【００５７】
陰茎収容部６０はパンツ本体１０と異なる弾性変形率を有する。つまり、陰茎１００を無理なく収容し、陰茎１００が支えられた状態を維持できるようにパンツ本体１０に比べて弾性変形率が大きく形成される。
【００５８】
つまり、陰茎収容部６０はパンツ本体１０に比べて緩く織ったり薄い形状に織って弾性変形率を大きく形成することができ、または陰茎収容部６０をしわになった形状に織って凸な形態に形成することができる。そして、陰茎収容部６０は二枚のシートを互いに接合して前方に凸な形態を有するように形成することができる。
【００５９】
下部シート７２は図４に示されているように、四角の板状に形成することができ、下方に行くほど幅が広くなる形態に形成することができ、パンツ本体１０とともに脚貫通ホール１４を形成することができる、多様な形態に形成されることができる。
【００６０】
このような下部シート７２はその一面８０がパンツ本体１０の前面に接合され、その他面８６はパンツ本体１０の背面に接合され、その両側面８２、８４はパンツ本体１０の下面に接合されてパンツ本体１０のように脚貫通ホール１４を形成する。
【００６１】
そして、陰嚢収容部７０は下部シート７２の一面８０に接触するように形成したり、近い位置に形成してパンツを着用した際に陰嚢１１０の位置と陰嚢収容部７０の位置が一致するようにする。
【００６２】
陰嚢収容部７０は陰嚢を無理なく収められるようにパンツ本体１０の下側方向に向かって凸に突出するように形成した。
【００６３】
つまり、陰嚢収容部７０を下部シート７２に形成するため、パンツを着用すれば大体的に下側方向に向かうようになる陰嚢１１０の位置とパンツ本体１０の下側方向に凸に突出する陰嚢収容部７２の位置がほぼ一致して陰嚢１１０を無理なく収容できて着用感を向上させることができる。
【００６４】
陰嚢収容部７０は下部シート７２を製造する際に一体に製造される。つまり、下部シート７２に凸な形態の陰嚢収容部７０を形成するために下部シート７２に比べて緩く織ったり薄い形状に織って弾性変形率を大きく形成することができ、陰嚢収容部７０をしわになった形態に織って凸な形態に形成することができる。
【００６５】
また、陰嚢収容部７０は下部シート７２と別途で製造して、下部シート７２に接合する構造も適用可能である。
【００６６】
このように、他の実施例による男性用機能性パンツは、陰茎収容部６０をパンツ本体１０に形成し、陰嚢収容部７０を下部シート７２に形成することによって陰茎収容部６０と陰嚢収容部７０が別途の区画部なしに区切られて、別途の区画部を形成する必要がない。
【００６７】
そして、陰嚢収容部７０を下部シート７２に形成することで、パンツの着用時に陰嚢１１０が位置する部分に陰嚢収容部７０が形成されるので、陰嚢１１０を陰嚢収容部７０に収容するために支える必要がないし、陰嚢が無理なく収められて着用感が良好である。
【００６８】
以上、本発明を特定の望ましい実施例を例にあげて説明したが、本発明は前記実施例に限定されず、本発明の精神を逸脱しない範囲内で当該発明の属する技術分野で通常の知識を有する者によって様々な変更および修正が可能であることが理解できる。
【産業上の利用可能性】
【００６９】
本発明は、男性用パンツに陰嚢と陰茎が収容される収容部を備えて陰茎と陰嚢を互いに分離し、陰茎と陰嚢が身体に接触するのを防止することができて精子の生成および培養能力を向上させ、湿気による各種病気が発生するのを防止することができ、着用感が良好な男性用パンツを提供する。
【図１】
2016512582.tif 000003
【図２】
2016512582.tif 000004
【図３】
2016512582.tif 000005
【図４】
2016512582.tif 000006
【図５】
2016512582.tif 000007
【図６】
2016512582.tif 000008
【図７】
2016512582.tif 000009
【国際調査報告】
2016512582.tif 000010
2016512582.tif 000011
2016512582.tif 000012
2016512582.tif 000013